(57)【要約】【課題】開閉扉とトレイとの接触による異音の発生を防止し品質の向上を図る。【解決手段】外観を形成するキャビネット２の開口部３を閉塞するようにして配置する開閉扉４を備え、開口部３の内外に搬送されるトレイ１０を備えた記録再生装置１であって、トレイ１０が開口部３から搬出する際、トラバースユニット２３を昇降させるカム板２４を動作させ、カム板２４の動作と連動するレバー部材１３が開閉扉４を押し開くので、トレイ１０と開閉扉４とが接触することを防止することができる。【選択図】図３
2007323720.tif 000002
【特許請求の範囲】
【請求項１】
外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、前記トレイが前記開閉扉に接触する前に、前記開閉扉を押し開く部材を設けたことを特徴とする開閉扉を備えた記録再生装置。
【請求項２】
外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、トラバースユニットを昇降させる伝達機構を動作させ、この伝達機構を構成する部品と連動するレバー部材を回動させることで、前記トレイが前記開閉扉に接触する前に、このレバー部材の回動動作に伴い前記開閉扉を押し開くように構成したたことを特徴とする開閉扉を備えた記録再生装置。
【請求項３】
外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、前記トレイが前記開閉扉に接触する前に、回動することで前記開閉扉を押し開くレバー部材を設けたことを特徴とする開閉扉を備えた記録再生装置。
【請求項４】
前記開口部を閉塞する位置に前記開閉扉を保持する付勢手段を備えたことを特徴とする請求項１〜３の何れか１項に記載の開閉扉を備えた記録再生装置。
【発明の詳細な説明】
【技術分野】
【０００１】
本発明はＣＤやＤＶＤなどのディスク状記憶媒体（以下、単にディスクと称す）を載置して装置内部と装置外部との間で前記ディスクを搬送可能とするトレイを備えた記録再生装置に関し、特に前記トレイの搬送軌道上に開閉可能な開閉扉を有する記録再生装置に関する。
【背景技術】
【０００２】
従来、装置の内外に進退するトレイを備えた記録再生装置は、この記録再生装置内の本体フレームに対して摺動可能にトレイが組み付けられており、フレームの内部に取り付けたモーターの駆動力をギアやプーリーなどの伝達機構を介して、前記トレイを装置内部のディスクの記録再生を行う記録／再生位置と、装置外部にトレイが搬出された記憶媒体着脱位置との間で往復直線移動可能な構造を有するものが用いられている。こうした記録再生装置内には、トレイと共に搬入されたディスクの情報を読み込み再生する、或いは前記ディスクに情報を書き込み記録するためのピックアップユニット、ターンテーブルなどの部品を構成したトラバースユニットなど種々の主要部品を備えている。
【０００３】
ところで、近年では記録再生装置の外観意匠性の向上を主たる目的として、前記トレイの搬送軌道上に開閉可能な扉を備えた記録再生装置が市場に普及している。ここで、このトレイの搬出に伴う扉の一般的な開閉構造について説明すると、外観を構成するキャビネットの前部に形成された開口部に開閉自在な扉を回動自在に配置し、この扉はコイルバネなどの付勢部材を用いて開口部を常時閉塞する方向へと付勢した状態で配置されている。そして、開口部から水平方向に搬出されるトレイが、扉の背面側を直接押して開口部を閉塞した状態から下方へ押し開くことで扉を押し開く構造のものが用いられている。
【０００４】
また、前述した従来技術に関連するものとして、特許文献１にはディスクを収納したトレイの出し入れのための扉の開閉を、モーター（モーターはトラバースユニットの構成部品の１つであるターンテーブルを回転するためのもの）の上下運動に連動させて行うように構成した扉開閉構造を採用し、モーターを上下動させるための固定台（本案件のトラバースユニットに相当する）の一端と扉の一端とに夫々軸を設け、各軸を両端に接続するリンク板を設け、扉とトレイの接触をなくし、これらの接触に伴う不快音の発生を防止する構造が提案されている。
【０００５】
【特許文献１】実開平６−４９５０号公報
【発明の開示】
【発明が解決しようとする課題】
【０００６】
しかし、特許文献１の場合は、スピンドル固定台の上下運動に連動して扉が開閉することとなるが、トレイの搬出動作を少しでも早く行うために、前記トラバースユニットに相当するスピンドル固定台が完全に下降する前にトレイの搬出動作を行うようにした際には、前記トレイと扉とが接触する虞がある。
【０００７】
また、前述した背景技術における構造においては、トレイが装置内部の記録／再生位置に収納された状態では開閉扉が閉じた状態となって装置の外観意匠性を向上でき、且つ前記トレイが装置外部の記憶媒体着脱位置へ移動する際にはトレイの搬出力によって、トレイが前記扉を押し開くことができるものの、トレイの搬出力を利用して強制的に扉を開くこととなるため、前記トレイが前記扉の背面側に当接する際に衝突音が発生する。また、扉が開いて前記トレイが搬出途中にあるときも、コイルバネなどの付勢部材により前記扉が閉塞する方向へ戻ろうとする力が働くため、前記トレイと前記扉が接触した状態を維持したまま前記トレイは搬出することにより異音が発生してしまうことがあった。さらに、トレイはフレームに対して水平方向に摺動可能な状態で組み付けられていることから、その構造上、トレイとフレームとの間に隙間を有しており、コイルバネなどの付勢部材により、前記扉が開口部を閉塞する位置へ戻ろうとする回転力が働くと、例えば、トレイが前記隙間の範囲で上方に持ち上げられてしまうことから、トレイの動作が安定せずに品位の低下に繋がる虞があった。
【０００８】
本案件は上述した問題点に鑑みてなされたものであり、トレイが搬送される際の異音の発生を防止し、品質の向上を図った開閉扉を備えた記録再生装置を提供することを目的とする。
【課題を解決するための手段】
【０００９】
本発明の請求項１の開閉扉を備えた記録再生装置は、外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、前記トレイが前記開閉扉に接触する前に、前記開閉扉を押し開く部材を設けたことを特徴とする。
【００１０】
請求項１の構成により、トレイが開口部から搬出する際、レバー部材などの部材が、トレイの搬入及び搬出される搬送軌道上に配置された開閉扉に接触する前に開閉扉を押し開くことができる。よって、トレイが開閉扉に接触することなく開口部から搬出することができる。
【００１１】
本発明の請求項２の開閉扉を備えた記録再生装置は、外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、トラバースユニットを昇降させる伝達機構を動作させ、この伝達機構を構成する部品と連動するレバー部材を回動させることで、前記トレイが前記開閉扉に接触する前に、このレバー部材の回動動作に伴い前記開閉扉を押し開くように構成したことを特徴とする。
【００１２】
請求項２の構成により、トレイが開口部から搬出する際、伝達機構が動作されるとトラバースユニットが上昇すると共に伝達機構を構成する部品の動作と連動してレバー部材が回動し、この回動したレバー部材が、開閉扉にトレイが接触するより前に開閉扉を押し開く。よって、トレイの搬入及び搬出される搬送軌道上に配置された開閉扉に接触するより前に開閉扉を押し開くことで、開口部から搬出されるトレイが開閉扉に接触することを回避することができる。
【００１３】
本発明の請求項３の開閉扉を備えた記録再生装置は、外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、前記トレイが前記開閉扉に接触する前に、回動することで前記開閉扉を押し開くレバー部材を設けたことを特徴とする。
【００１４】
請求項３の構成により、トレイが開口部から搬出する際、トレイの搬入及び搬出される搬送軌道上に配置された開閉扉に接触する前に、レバー部材が回動されることで、このレバー部材の一部が開閉扉を押し開くので、トレイが開閉扉に接触することなく開口部から搬出することができる。
【００１５】
本発明の請求項４の開閉扉を備えた記録再生装置は、請求項１〜３の何れか１項に記載の開閉扉を備えた記録再生装置において、前記開口部を閉塞する位置に前記開閉扉を保持する付勢手段を備えたことを特徴とする。
【００１６】
請求項４の構成により、トレイが開口部から搬出する際、レバー部材などが、付勢手段により開口部を閉塞する位置に保持された開閉扉を、トレイが開閉扉に接触するより前に、付勢手段の付勢力に抗して押し開くので、トレイが開閉扉に接触することなく開口部から搬出することができる。
【発明の効果】
【００１７】
請求項１の開閉扉を備えた記録再生装置によれば、外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、前記トレイが前記開閉扉に接触する前に、前記開閉扉を押し開く部材を設けたから、トレイと開閉扉とが接触することなく、レバー部材が開閉扉を開いた後にトレイが搬出される。従ってトレイと開閉扉との接触に伴う衝突音などの異音を抑えることができ、品質向上を図ることが可能となる。
【００１８】
請求項２の開閉扉を備えた記録再生装置によれば、外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、トラバースユニットを昇降させる伝達機構を動作させ、この伝達機構を構成する部品と連動するレバー部材を回動させることで、前記トレイが前記開閉扉に接触する前に、このレバー部材の回動動作に伴い前記開閉扉を押し開くように構成したから、レバー部材が開閉扉を開いた後にトレイが搬出されることにより、トレイと開閉扉とが接触することなく、レバー部材が開閉扉を開いた後にトレイが搬出される。従ってトレイと開閉扉とが接触することを回避することで、これらの接触に伴う異音の発生を抑えることが可能となり、品質向上を図ることができる。
【００１９】
請求項３の開閉扉を備えた記録再生装置によれば、外観を形成するキャビネットの前部に開口部を形成し、この開口部を閉塞する位置に配置した開閉可能な開閉扉を備え、前記開口部から搬入及び搬出されるトレイを備えた記録再生装置であって、前記トレイが前記開口部から搬出する際、前記トレイが前記開閉扉に接触する前に、回動することで前記開閉扉を押し開くレバー部材を設けたから、トレイと開閉扉とが接触することなく、レバー部材が開閉扉を開いた後にトレイが搬出されるので、トレイと開閉扉との接触に伴う衝突音などの異音を抑えることができ、高品質化を図ることが可能となる。
【００２０】
請求項４の開閉扉を備えた記録再生装置によれば、請求項１〜３の何れか１項に記載の開閉扉を備えた記録再生装置において、前記開口部を閉塞する位置に前記開閉扉を保持する付勢手段を備えたから、付勢手段で開口部を閉塞している開閉扉を、トレイが開閉扉に接触するより前に、付勢手段の付勢力に抗して押し開き、トレイが開閉扉に接触することなく開口部から搬出することができるので、トレイと開閉扉との接触に伴う衝突音などの異音を抑え品質向上を図った開閉扉を備えた記録再生装置を提供することが可能となる。
【発明を実施するための最良の形態】
【００２１】
以下、本発明を実施するための最良の形態としての実施例を説明する。もちろん、本発明は、その発明の趣旨に反さない範囲で、実施例において説明した以外のものに対しても容易に適用可能なことは説明を要するまでもない。
【実施例１】
【００２２】
実施例１について図１〜図４により以下に説明する。図１はトレイがディスクの記録再生位置にある状態を示す平面図、図２はトレイがディスクの記録再生位置にある状態を示す概略断面図、図３はトレイがディスクの記憶媒体着脱位置にある状態を示す平面図、図４はトレイがディスクの記憶媒体着脱位置にある状態を示す概略断面図である。
【００２３】
記録再生装置１の外観を形成するキャビネット２の前部には開口部３が形成されており、開閉扉４が付勢手段たるをコイルバネ５により開口部３を常時閉塞する位置へと付勢した状態で配置されている。なお、開閉扉４は、その軸部４Ａが開口部３の下方のキャビネット２の内側に回動自在に軸支されていることから、開口部３の下方側を支点として、この開口部３の上方側から開くようになっており、また、記録媒体たるディスクの載置されるトレイ１０は、トレイ底面に形成したラック１０Ｂと、伝達機構２２のギア２０の一つとが歯合されるようになっており、ギア２０の回動動作と連動して開口部３から記録再生装置１の内外に搬送される。
【００２４】
ここで記録再生装置１の構造をさらに詳述する。モーター１１はトレイ１０を開口部３から搬入及び搬出させるための駆動手段である。また、キャビネット２内に固定された本体フレーム１２には、モーター１１の回転駆動に伴い連動するＬ字形の連動部品としてのレバー部材１３が設けられている。このレバー部材１３は凸状の軸部１４が形成されており、この軸部１４が本体フレーム１２に形成された嵌合凹部１５に嵌合され回動可能に構成されおり、レバー部材１３の他端１３Ｂ側は、開閉扉４に形成した切欠部１０Ａに係合されており、レバー部材が回動するとこの動作と連動して開閉扉４を開閉するようになっている。また、このレバー部材１３の他端１３Ｂ側と本体フレーム１２とは付勢手段たるコイルバネ体６により架設されており、トレイ１０は、コイルバネ体６の付勢力によりレバー部材１３を介してトレイ１０の搬入方向（図１に示す上方向）に付勢されている。
【００２５】
また、前記モーター１１の駆動により連動する部品としては、トレイ１０に動力を伝達して駆動するギア２０やプーリー２１などからなる伝達機構２２や、この伝達機構２２に連動してトラバースユニット２３を昇降動作させるカム板２４などの種々の部品が本体フレーム１２に組み付けられている。なお、カム板２４は、本体フレーム１２に摺動可能に組み付けられており、伝達機構２２の動作に連動して、本体フレーム１２の左右方向に摺動動作するようになっており、より詳しくはカム板２４に形成されたラック部２４Ａとギア２０の一つとが歯合されていることで、このギア２０の回動動作と連動して本体フレーム１２の左右方向に摺動動作する。また、前記トラバースユニット２３は、カム板２４により上昇された状態で、ディスクの情報を読み込み再生及びディスクに情報を書き込み記録するためのピックアップユニットや、ディスクを回転させるためのターンテーブル２５など種々の部品を構成しており、トラバースユニット２３が上昇することでターンテーブル２５とこのターンテーブル２５の上方に設けられたクランパ２６によりディスクを挟持した状態で回転され、前述したディスクの情報の読み込み再生、及びディスクに情報を書き込み記録する。
【００２６】
次に、上記構成に係る記録再生装置のトレイ１０が、キャビネット２内の搬入状態から、キャビネット２の外側へ搬出される動作順序について説明する。図１及び図２に示すように、トレイ１０がキャビネット２内に搬入されている状態で、ユーザが、トレイ１０にディスクを載置するためにトレイ１０を搬出するための所定操作を行なうと、モーター１１の駆動力によりプーリー２１を介してギア２０が回動され、ギア２０に歯合されたラック部２４Ａが摺動しながら移動（図１に示す右側）し、カム板２４の一端にレバー部材１３の一端１３Ａが当接され、カム板２４の移動動作に連動して、トラバースユニット２３が下降すると共にレバー部材１３の一端１３Ａ側がカム板２４に押されて本体フレーム１２への取り付け位置である軸部１４を支点として回動する。なお、この回動動作に連動してレバー部材１３の他端１３Ｂが、開口部３を閉塞している開閉扉４をコイルバネ５，６の付勢力に抗して押し開く。そして、開閉扉４が押し開かれた後に、トレイ１０は、ギア２０の１つとトレイ１０に形成したラック１０Ｂとが歯合され、モーター１１の回動動作に連動して開口部３から搬出される（図３及び図４に示す状態）。これにより、開口部３から搬出されるトレイ１０は、コイルバネ５で開口部３を閉塞する位置に付勢されている開閉扉４に接触する前に開かれるので、従来のように、トレイと開閉扉とが接触して異音が発生することを防止することができる。なお、前記トレイ１０がディスクの着脱可能な記憶媒体着脱位置(図３及び図４に示した状態)に搬出している状態から、記録再生位置（図１及び図２に示した状態）へ搬入する際においても、トレイ１０と開閉扉４とが接触することはないことは言うまでもない。
【００２７】
以上のように本実施例１によれば、記録再生装置１の内部に収納された状態のトレイ１０は、トレイ１０が開閉扉４に接触するより前にモーター１１で駆動される伝達機構２２を介して、トラバースユニット２３を昇降動作させるカム板２４を移動（図１に示す左側から右側へ）させ、このカム板２４の動作に連動させてレバー部材１３を押圧して回動させ、レバー部材１３の回動動作により、この他端１３Ｂ側が、トレイ１０が開閉扉４に接触する前に開閉扉４を押し開くので、従来のように、トレイと開閉扉とが接触することなく、トレイ１０を記録再生装置１の外部へと搬出する。従って、トレイ１０と開閉扉４との接触に伴う衝突音などの異音の発生を抑えることが可能となることで、品質の向上を図ることができる。さらに、従来のように、トレイが開閉扉を直接押し開くことで、このトレイとフレームとの間の縦方向の隙間などが原因で、トレイが上方に持ち上げられてしまい、トレイ１０が搬出される際に、トレイが上方に持ち上げられた不安定な状態で摺動動作が行われてしまうといった不具合を解消できるから、記録再生装置１の品質を向上することが可能となる。
【実施例２】
【００２８】
次に、実施例２について図５及び図６により以下に説明する。図５はトレイがディスクの記録再生位置にある状態を示す記録再生装置の平面図、図６はトレイ、レバー部材、及びギア２０２の動作関係を示す説明図である。なお、実施例１と同一部分には同一符号を付し、その詳細な説明を省略して詳述する。なお、本実施例２では、実施例１で符号２０を付したギアのそれぞれに、２０１，２０２を付して以下に詳述する。
【００２９】
この実施例２における記録再生装置１では、レバー部材１３がギア２０２の近傍に配置されており、このギア２０２とプーリー２１の取り付けられたギア２０１とが歯合され、相互に連動するようになっており、また、レバー部材１３の一端１３Ａには係合突起１００が形成されている。
【００３０】
また、ギア２０２には、その円周方向に３６０度に亘って第１のカム溝１０１が形成されると共に、この第１のカム溝１０１のさらに内側に円弧状の第２のカム溝１０２が形成されている。なお、第１のカム溝１０１と第２のカム溝１０２とからなる溝部１０３には、レバー部材１３の係合突起１００が嵌合されており、溝部１０３に沿って係合突起１００が案内されるようになっている。
【００３１】
１０５は、本体フレーム１２に他方端１０５Ｂが回動自在に軸支されたレバーである。このレバー１０５の一方端１０５Ａの反対側に位置する他方端１０５Ｂは、レバー１０５の回動支点になっている。
【００３２】
また、前記レバー１０５の一方端１０５Ａとレバー部材１３の一端１３Ａとは、レバー１０５と一体の可撓性のある樹脂部材１０６で架設されており、ギア２０１が反時計回りに回転される時などに、第１のカム溝１０１に案内されているレバー部材１３の係合突起１００を第２のカム溝１０２に案内可能に樹脂部材１０６で付勢されている。なお、レバー１０５の動作は、カム板２４の動作によって一方端１０５Ａが動くことから、他方端１０５Ｂを回動支点にしてレバー１０５を回動し、それに伴い樹脂部材１０６も回動される。
【００３３】
次に、実施例２に係る記録再生装置１のトレイ１０が、キャビネット２内の搬入状態から、キャビネット２の外側へ搬出される動作順序について、図６の（ａ）〜図６の（ｄ）の順に説明する。図６の（ａ）はトレイが開口部を閉塞した状態であり、カム板２４が本体フレーム１２の最も右側（図５に示した状態）に配置されている。このような状態から、ユーザが、トレイ１０にディスクを載置するためにトレイ１０を搬出するための所定操作を行なうと、モーター１１の駆動力によりプーリー２１を介してギア２０１が回動され、このギア２０１と歯合されたギア２０２が時計回転に回動され、第２のカム溝１０２に嵌合されている係合突起１００は、第２のカム溝１０２に沿って移動し、この移動と連動してレバー部材１３は反時計回りに回動される（図６の（ｂ））。引き続きギア２０２が時計回転に回動されると、図６の（ｃ）に示すように、それに伴いレバー部材１３がさらに反時計回りに回動される。さらに引き続きギア２０２が時計回転に回動されると、係合突起１００は、第１のカム溝１０１と第２のカム溝１０２の交差するＣ点まで移動され、樹脂部材１０６はギア２０１が反時計回転に回動するときに作用し、さらにギア２０１が回転されると、時計回りに回動しているギア２０２と連動して移動途中にあるカム板２４の移動によって、連動してトラバースユニット２３が下降する。なお、レバー部材１３の他端１３Ｂが開閉扉４を押し開いた後、トレイ１０は、ギア２０２とトレイ１０に形成したラック１０Ｂとが歯合され、モーター１１の回動動作に連動して開口部３から搬出される。これにより、開口部３から搬出されるトレイ１０は、コイルバネ５で開口部３を閉塞する位置に付勢されている開閉扉４に接触する前に開かれるので、従来のように、トレイと開閉扉とが接触して異音が発生することを防止することができる。これにより、伝達機構２２を構成するギア２０２などの回転動作に連動して、レバー部材１３が回動され、この回動動作によりレバー部材１３の他端１３Ｂが開閉扉４を押し開くことが可能となる。
【００３４】
本実施例２によれば、モーター１１の駆動力に連動して駆動する部材の中でも、特にトレイ１０のラック１０Ｂと噛み合うギア２０２に直接レバー部材１３を取り付ける構造が好ましい。その理由は、ギア２０２は同じ伝達機構２２のプーリー２１に比べトレイを直接開閉するために、少ない回転数でトルクが増幅されるように構成されており、さらに、実施例２におけるレバー部材１３は、カム板２４を動作させることから、カム板が動作する以前に動作することから、トレイ１０を搬送する際の開閉扉４の開放を、実施例１より早いタイミングで行うことが可能となることも理由の一つである。
【図面の簡単な説明】
【００３５】
【図１】実施例１におけるトレイがディスクの記録再生位置にある状態を示す平面図である。
【図２】同上、トレイがディスクの記録再生位置にある状態を示す概略断面図である。
【図３】同上、トレイがディスクの記憶媒体着脱位置にある状態を示す平面図である。
【図４】同上、トレイがディスクの記憶媒体着脱位置にある状態を示す概略断面図である。
【図５】実施例２におけるトレイがディスクの記録再生位置にある状態を示す記録再生装置の平面図である。
【図６】同上、トレイ、レバー部材、及びギアの動作関係を示す説明図である。
【符号の説明】
【００３６】
１  記録再生装置
２  キャビネット
３  開口部
４  開閉扉
５  コイルバネ（付勢手段）
１０  トレイ
１３  レバー部材（部材）
２２  伝達機構
２３  トラバースユニット
２４  カム板（伝達機構を構成する部品）
２０２  ギア（伝達機構を構成する部品）
【図１】
2007323720.tif 000003
【図２】
2007323720.tif 000004
【図３】
2007323720.tif 000005
【図４】
2007323720.tif 000006
【図５】
2007323720.tif 000007
【図６】
2007323720.tif 000008